(57)【要約】【課題】高い反発係数を持つフェースパネルを使用して、ゴルフボールを遠距離まで容易に打ち出すゴルフクラブヘッドを提供すること。【解決手段】ゴルフクラブヘッドは高い反発係数を備えている。ヘッドは、クラブヘッド（１０）、シャフト（２０）及び緩衝部材（３０）を有する。クラブヘッドはフェースパネル（１１）と取付座（１２）を有する。フェースパネルはクラブヘッドの片側に取り付けられる。取付座はクラブヘッドの他側に形成され、貫通孔を有する。シャフトは、細長体であり、クラブヘッドに取り付けられ、シャフトの２つの端部にキャビティ（２１）と、取付部とを有する。取付部は取付座に堅固に取り付けられている。緩衝部材は圧縮可能で弾性体であり、フェースパネルに当接する。ゴルフボールを激打するとき、フェースパネルは凹状に変形し、インパルス力は緩衝部材によって保存され、フェースパネルが割れたり、破損することはない。【選択図】図３
0003218509.tif 000002
【実用新案登録請求の範囲】
【請求項１】
中空体であるクラブヘッドを備え、前記クラブヘッドは
前記クラブヘッドの一側に取り付けられ、内面及び外面を有するフェースパネルと、
前記クラブヘッドの他側に形成される取付座とを備え、前記取付座は
前記クラブヘッドの内部に連通する貫通孔を備え、
前記クラブヘッドに取り付けられる細長体のシャフトを備え、前記シャフトは
前記シャフトの一端に形成されるキャビティと、
前記シャフトの他端に形成され、前記クラブヘッドの取付座に堅固に取り付けられる取付部とを備え、
圧縮可能で弾性本体であって２つの端を有する緩衝部材を備え、前記緩衝部材の一端は前記シャフトの前記キャビティに取り付けられ、前記緩衝部材の他端の端面は前記フェースパネルの内面に当接し、前記シャフトの軸線及び前記緩衝部材の軸線は前記フェースパネルの前記内面に直交していることを特徴とするゴルフクラブヘッド。
【請求項２】
前記フェースパネルの反発係数は０．８８以上０．８９以下であることを特徴とする請求項１記載のゴルフクラブヘッド。
【請求項３】
前記シャフトは中空管であり、
前記取付部は、
前記取付部の外壁の雄ねじと、
前記取付部の一端で前記取付座に当接する位置決めスリーブとを形成し、
前記取付座は前記取付座の貫通孔に雌ねじを有し、
前記取付座の雌ねじ及び前記取付部の雄ねじを介して、前記取付部及び前記取付座が螺合されることを特徴とする請求項１記載のゴルフクラブヘッド。
【請求項４】
前記シャフトは中空管であり、前記シャフトは
中空体であって前記シャフトの一端に取り付けられる受け座を備え、前記受け座は閉鎖端及び開放端を有し、前記受け座は
前記開放端の外側環状面から突出する位置決めスリーブを備え、
前記シャフトの前記キャビティは前記受け座の前記開放端で内側に形成され、前記緩衝部材は前記キャビティ内に取り付けられることを特徴とする請求項１記載のゴルフクラブヘッド。
【請求項５】
前記シャフトは中空管であり、前記シャフトは
前記シャフトの他端に形成される組立部を備え、前記他端は前記緩衝部材が取り付けられる前記シャフトの一端とは反対側の端部であり、
前記クラブヘッドの前記組立部と前記取付座に堅固に取付けられる装着座を備えることを特徴とする請求項１記載のゴルフクラブヘッド。
【請求項６】
前記シャフトの前記組立部は雄ねじを有し、
前記装着座は中空体であり、雌ねじを有し、前記装着座の前記雌ねじは前記組立部の前記雄ねじと螺合する請求項５記載のゴルフクラブヘッド。
【請求項７】
前記取付座は前記取付座の貫通孔に雌ねじを有し、
前記装着座は雄ねじを有し、前記装着座の雄ねじは前記取付座の装着座の雌ねじと螺合することを特徴とする請求項５記載のゴルフクラブヘッド。
【請求項８】
雄ねじを有するキャップを備え、
前記シャフトは雌ねじを有し、それにより前記キャップの雄ねじが前記シャフトの雌ねじと螺合されることを特徴とする請求項１記載のゴルフクラブヘッド。
【請求項９】
雄ねじを有するキャップを備え、
前記キャップの雄ねじは前記装着座の雌ねじと螺合している特徴とする請求項６記載のゴルフクラブヘッド。
【請求項１０】
前記シャフトは中実であることを特徴とする請求項１記載のゴルフクラブヘッド。
【考案の詳細な説明】
【技術分野】
【０００１】
本考案は、ゴルフクラブヘッドに関し、特に高反発係数を有するゴルフクラブヘッドに関する。
【背景技術】
【０００２】
従来のゴルフクラブは、クラブと、クラブの一端に取り付けられたヘッドとを備えている。ヘッドは、ヘッドの片側に取り付けられたフェースパネルを有する。フェースパネルは特定の厚さを持っている。ハンドルはクラブの他端に形成される。プレーヤーが両手でハンドルを握ってゴルフクラブがスウィングされてゴルフボールを強打し、毎秒４５メートルでゴルフボールに当たり、約０．８２５から０．８３の反発係数を持つフェースパネルがゴルフボールを激打する。このとき、打撃力は打撃点で０．２〜０．２５ｍｍだけフェースパネルを凹状に僅かに変形させ、反力でゴルフボールも変形し、反発力によりゴルフボールが飛び出す。
【０００３】
経験と技術レベルによれば、ゴルフプレーヤーはプロゴルフプレーヤー又はアマチュアとして分類されてもよい。また、様々なタイプのゴルフクラブがあり、その中の１つは中空ヘッドを備えたウッドクラブで構成され、このウッドクラブは長距離の打撃に利用されます。プロのプレーヤーは、打撃力を正確に調節し、ゴルフを打つ際の動きを制御することができるので、プロのプレーヤーはゴルフをより長い所望の距離に打ち出すことができる。対照的に、アマチュアは、プロと同じ正確な動きと打撃力を制御することができないため、同じゴルフクラブと同じフェースパネルを使用しても、アマチュアは依然としてゴルフをより長い所望の距離に打ち出すことができない。換言すれば、従来のゴルフクラブを使用しているアマチュアは、所望の打撃効果に到達していない。
【０００４】
従来のゴルフクラブヘッドは特許文献１（ＣＮ １０２４４８５５２ Ａ）に開示されている。ゴルフクラブヘッドのようなボール打撃装置は、ボールを打撃するように構成されたフェースと、フェースに接続された本体とを含むヘッドを有する。ブレースは、本体の内側表面から又は周囲重量システムからフェースの後面上の接触点まで延在している。このブレースは、ソール又はソール指向周囲重量部材からフェースの後面まで延在することができる。ブレースは、接触点を取り囲むフェースの面積が接触点から離れたフェースの他の領域と比較してより撓曲されないようにフェースに力を加える（少なくとも、フェースが閾値量で撓曲されるとき）。ブレース及びクラブヘッドは、フェースに加えられる力を制御及びカスタマイズすることを可能にする構造を含んでいる。
【０００５】
この欠点を克服するために、本考案は、前述の問題を緩和又は回避するゴルフクラブヘッドを提供する。
【先行技術文献】
【特許文献】
【０００６】
【特許文献１】ＣＮ  １０２４４８５５２  Ａ
【考案の概要】
【考案が解決しようとする課題】
【０００７】
本考案の主目的は、高反発係数を有するフェースパネルを有するゴルフクラブヘッドを提供することである。アマチュアは、高い反発係数を持つフェースパネルを使用して、ゴルフボールを遠距離まで容易に打ち出すことができる。
【課題を解決するための手段】
【０００８】
ヘッドは、クラブヘッド、シャフト及び緩衝部材を有する。クラブヘッドは中空体であり、フェースパネルと取付座を有する。フェースパネルは、クラブヘッドの片側に取り付けられる。フェースパネルは、ボードからなり、内面及び外面を有する。取付座は、クラブヘッドの他側に形成され、クラブヘッドの内部と連通する貫通孔を有する。シャフトは、細長体であり、クラブヘッドに取り付けられ、キャビティ及び取付部を有する。キャビティはシャフトの一端に形成されている。取付部は、シャフトの他端に形成され、クラブヘッドの取付座に堅固に取り付けられる。緩衝部材は、圧縮可能で弾性体であり、２つの端部を有する。緩衝部材の端部の一方はシャフトのキャビティに取り付けられ、緩衝部材の他方の端部の端面はフェースパネルの内面に当接している。組み合わされるシャフト及び緩衝部材の軸線は、フェースパネルの内面に対して直交している。
【０００９】
したがって、シャフトがクラブヘッドに取り付けられ、緩衝部材がシャフトに取り付けられてフェースパネルの内面に当接することにより、ゴルフボールが叙上のヘッドを持つゴルフクラブによって撃打される際に、フェースパネルの外面が打撃を受けて凹状に変形して、ゴルフボールがすぐさま飛び出す。その一方で、圧縮可能で弾性緩衝部材は衝撃を保存し、フェースパネルが割れたり破損したりするのを防止する。したがって、フェースパネルの厚さは、従来のフェースパネルの厚さよりも薄くてもよく、それにより反発係数を増加させて、ゴルフボールをより遠距離まで飛び出させることができる。
【００１０】
上記の構造、即ちシャフトがクラブヘッドの内部に取り付けられ、フェースパネルに隣接して緩衝部材がシャフトに取り付けられ、緩衝部材がフェースパネルの内面に当接していることにより、ゴルフボールが激打されるとき、衝撃によりフェースパネルの外面が凹状に変形し、同時にゴルフボールが変形してゴルフボールが強打される。圧縮可能で弾性体であることで、緩衝部材は衝撃を保存し、衝撃によってフェースパネルが破損するのを防止することができる。したがって、従来のフェースパネルよりも薄いフェースパネルをヘッドに装着することができ、高い反発係数を有するヘッドは、ゴルフをより遠距離に打ち出すことができる。
【００１１】
本考案の他の目的、利点及び新規な特長は以下の詳細な説明から図面と併せて参照すれば一層明らかとなる。
【図面の簡単な説明】
【００１２】
【図１】図１は、本考案の第１の実施例にしたがうゴルフクラブヘッドの斜視図である。
【図２】図２は、本考案の第１の実施例によるヘッドの分解斜視図である。
【図３】図３は、図２におけるヘッドの断面図である。
【図４】図４は、ゴルフボールを激打するときの図２におけるヘッドの斜視図である。
【図５】図５は、本考案の第２の実施例にしたがうヘッドの分解斜視図である。
【図６】図６は、図５におけるヘッドの断面図である。
【図７】図７は、本考案の第２の実施例にしたがうヘッドの断面図である。
【図８】図８は、本考案の第２の実施例にしたがうヘッドの断面図である。
【考案を実施するための形態】
【００１３】
以下、本考案にしたがう高反発係数のゴルフクラブヘッドをその好ましい実施例について図面を参照して詳述する。
【００１４】
図１、図２及び図３を参照するに、本考案に係るゴルフクラブヘッドは高反発係数を有する。第１の実施例において、ヘッドは、クラブヘッド１０と、シャフト２０と、緩衝部材３０とを備える。
【００１５】
クラブヘッド１０は中空体である。クラブヘッド１０は、このクラブヘッド１０の一側に取り付けられたフェースパネル１１を有する。フェースパネル１１は、ボードからなり、内面１１１及び外面１１２を有する。フェースパネル１１の外面は、ゴルフボールを打つように構成されている。ボードの厚さは従来よりも薄くて、フェースパネル１１を反発係数が高くなるようにしている。クラブヘッド１０は、クラブヘッド１０の他側に形成された取付座１２を有する。取付座１２は、クラブヘッド１０の内部と連通する貫通孔を含む。
【００１６】
シャフト２０は細長体である。シャフト２０は、細長体の一端にキャビティ２１を有し、細長体の他端に取付部２２を有する。
【００１７】
緩衝部材３０は、圧縮可能で、弾性の細長体である。緩衝部材３０は２つの端部を有し、一方の端部がシャフト２０のキャビティ２１内に取り付けられて結合されているので、組み合わされるシャフト２０及び緩衝部材３０の軸線はフェースパネル１１の内面１１１に対して直交している。緩衝部材３０の他端はシャフト２０から突出しており、緩衝部材３０の他端の端面はフェースパネル１１の内面１１１に当接している。シャフト２０は取付座１２の貫通孔を貫通してクラブヘッド１０に装着されている。取付部２２はクラブヘッド１０の取付座１２に装着されて結合されている。
【００１８】
次に、図１〜図３を参照するに、この実施例では、シャフト２０は中空管である。したがって、キャビティ２１が管の一端に形成される。取付部２２の外壁には雄ねじ２２１が設けられ、取付座１２の貫通孔には雌ねじが設けられており、それで取付部２２の雄ねじ２２１及び取付座１２の雌ねじは確実に螺合する。細長体（即ち、シャフト２０）の一端は位置決めスリーブ２２３を形成し、位置決めスリーブ２２３は取付座１２の外部に当接するように利用され、細長体の一端部は取付部２２を含む上記の他端である。
【００１９】
次に、図４を参照するに、ゴルフクラブをスウィングしてゴルフボールを激打すると、クラブヘッド１０のフェースパネル１１がゴルフボール４０に強打する。一方、フェースパネル１１の外面１１２に衝撃が加えられて僅か凹状に変形する。フェースパネル１１の内面１１１は、弾性緩衝材３０に当接して支持されているため、過度に変形して割れたり、破損することがなく、ゴルフボール打撃後に元の形状に復帰することができる。
【００２０】
本考案の第１の実施例はさらにキャップ５０を備えている。キャップ５０は雄ねじ５１を有し、中空管としてのシャフト２０は雌ねじ２２２を有するので、シャフト２０の雌ねじ２２２及びキャップ５０の雄ねじ５１が確実に螺合され、シャフト２０が固定される。
【００２１】
次に、図５及び図６を参照するに、本考案の第２の実施例が提供される。第２の実施例において、クラブヘッド１０は、第１の実施例におけるクラブヘッド１０と同一である。第１実施例及び第２実施例の相違点の１つは、第２の実施例のシャフト２０Ａが中空管であるという点である。シャフト２０Ａは、シャフト２０Ａの一端に開口２１Ａを有し、シャフト２０Ａの他端に取付部２２Ａを有する。取付部２２Ａの構造は第１実施例の取付部２２と同様である。本考案の第２の実施例によるヘッドは受け座６０をさらに備える。受け座６０は中空体であり、受け座６０の一端は閉鎖端であり、受け座６０の他端は開放端である。したがって、受け座６０の開放端は凹んでキャビティ６１を形成する。受け座６０は、受け座６０の外面に形成され、開口端に近接する位置決めスリーブ６２を有する。受け座６０は、シャフト２０Ａの開口２１Ａに装着され、シャフト２０Ａと結合されるのに利用される。緩衝部材３０の一端は受け座６０のキャビティ６１に取り付けられ、緩衝部材３０の他端はシャフト２０Ａ及び受け座６０から突出する。
【００２２】
次に、図７を参照するに、本考案の第３の実施例が提供される。第２の実施例において、クラブヘッド１０は、第１の実施例におけるクラブヘッド１０と同一である。第１の実施例及び第３の実施例の相違点の１つは、第３の実施例におけるシャフト２０Ｂが中空チューブであるということである。緩衝部材３０は、シャフト２０Ｂの一端に取り付けられ、シャフト２０Ｂのこの一端は、第１の実施例又は第２の実施例の構造と同一とすることができる。シャフト２０Ｂは、このシャフト２０Ｂの他端に形成された組立部２０１Ｂを有する。本考案の第３の実施例に係るヘッドはさらに装着座２２Ｂを備える。装着座２２Ｂは、組立部２０１Ｂに取り付けられて組み合わされる。シャフト２０Ｂはクラブヘッド１０に装着され、装着座２２Ｂはクラブヘッド１０の取付座１２に装着されて結合される。組立部２０１Ｂは、雄ねじ及び雌ねじを有し、装着座２２Ｂは中空体であり、装着座２２Ｂの一端側の雄ねじ及び組立部２０１Ｂの雌ねじが螺合されるようになっている。装着座２２Ｂの他端の雄ねじは、キャップ５０Ｂに螺合するように構成されている。
【００２３】
次に、図８を参照するに、本考案の第４の実施例が提供される。第４の実施例において、クラブヘッド１０は第１の実施例のクラブヘッド１０と同一である。第１実施例及び第４実施例の相違点の１つは、シャフト２０Ｃが中実であるということである。シャフト２０Ｃは、シャフト２０Ｃの一端に形成されたキャビティ２１Ｃと、シャフト２０Ｃの他端に設けられた取付部２２Ｃとを備えている。キャビティ２１Ｃは緩衝部材３０が装着されるように構成されている。シャフト２０Ｃは、クラブヘッド１０に取り付けられているので、装着座２２Ｃはクラブヘッド１０の取付座１２に取り付けられて結合される。
【００２４】
本考案の幾つかの特徴及び利点が上記の説明において考案の構造及び特徴の細部と共に記載したが、この開示は単なる例示である。その変更は、特に部品の形状、サイズ及び配置の問題において実用新案登録請求の範囲が表明する用語の広い一般的な意味によって示される全範囲に亘り本考案の原理内で詳細に実行できる。
【符号の説明】
【００２５】
１０・・・クラブヘッド
１１・・・フェースパネル
１２・・・取付座
２０、２０Ａ、２０Ｂ、２０Ｃ・・・シャフト
２１、２１Ｃ、６１・・・キャビティ
２１Ａ・・・開口
２２、２２Ａ・・・取付部
２２Ｂ、２２Ｃ・・・装着座
３０・・・緩衝部材
ゴルフボール４０
５０、５０Ｂ・・・キャップ
５１・・・雄ねじ
６０・・・受け座
６２・・・スリーブ
１１１・・・内面
１１２・・・外面
２０１Ｂ・・・組立部
２２２・・・雌ねじ
２２３・・・位置決めスリーブ
【図１】
0003218509.tif 000003
【図２】
0003218509.tif 000004
【図３】
0003218509.tif 000005
【図４】
0003218509.tif 000006
【図５】
0003218509.tif 000007
【図６】
0003218509.tif 000008
【図７】
0003218509.tif 000009
【図８】
0003218509.tif 000010